(57)【要約】【課題】メモリ使用量を大きくすることなく、従来よりも低コストで、電源喪失や過負荷などの異常発生の原因解析を実現可能な電力監視装置の提供を目的とした。【解決手段】電力監視装置は、複数の電気機器に電力を供給可能な複数の分岐ブレーカを介して電気機器に流れる電流値及び／又は電圧値を検出可能な電流／電圧センサと、分岐ブレーカの定格電流値及び／又は定格電圧値を記憶可能な定格電流／電圧記憶部３２と、分岐ブレーカごとに設定されたエラー情報を電流値及び／又は電流値と定格電流値及び／又は定格電圧値との比較結果に基づいて発生可能なエラー情報発生部４２と、電流値及び／又は電圧値の変化を分岐ブレーカごとに時系列データとして記憶可能な時系列データ記憶部３４と、エラー情報の発生前後の一定期間における時系列データを時系列データ記憶部３４から取り込んで管理する解析用データ管理部４４とを備える。【選択図】図３
2014171288.tif 000002
【特許請求の範囲】
【請求項１】
主幹線路から分岐した分岐線路の経路中にそれぞれ設けられ、複数の電気機器に電力を供給可能な複数の分岐ブレーカと、
前記分岐ブレーカを介して前記電気機器に流れる電流値及び／又は電圧値を検出可能な電流／電圧センサと、
前記分岐ブレーカの定格電流値及び／又は定格電圧値を記憶可能な定格電流／電圧記憶部と、
前記分岐ブレーカごとに設定されたエラー情報を、前記電流／電圧センサで検出された電流値及び／又は電圧値と、前記定格電流／電圧記憶部に記憶されている定格電流値及び／又は定格電圧値との比較結果に基づいて発生可能なエラー情報発生部と、
前記電流／電圧センサで検出された電流値及び／又は電圧値の変化を前記分岐ブレーカごとに時系列データとして記憶可能な時系列データ記憶部と、
前記エラー情報が発生した場合には、前記エラー情報の発生前後の一定期間における時系列データを前記エラー情報の解析用データとして前記時系列データ記憶部から取り込んで管理する解析用データ管理部と、
を備えることを特徴とする電力監視装置。
【請求項２】
前記解析用データ管理部が、
前記解析用データを複数のデータに分割し、分割したデータ毎に前記エラー情報の解析を行うことを特徴とする請求項１に記載の電力監視装置。
【請求項３】
前記エラー情報を表示可能な表示部を備え、
前記エラー情報発生部が、
前記比較結果に応じて、異なる色で前記エラー情報を前記表示部に表示することを特徴とする請求項１又は２に記載の電力監視装置。
【請求項４】
前記電流／電圧センサの検出結果を外部ユニットに通信可能な情報通信部を備えることを特徴とする請求項１〜３のいずれか１項に記載の電力監視装置。
【請求項５】
前記主幹線路の温度を検知可能な温度センサと、
前記温度センサで検知された温度との比較に用いる設定温度を記憶可能な設定温度記憶部と、を備え、
前記エラー情報発生部が、
前記温度センサで検知された温度と、前記設定温度記憶部に記憶されている設定温度との比較結果に基づいて、前記エラー情報を発生することを特徴とする請求項１〜４のいずれか一項に記載の電力監視装置。
【発明の詳細な説明】
【技術分野】
【０００１】
本発明は、電力の分岐供給等を行う電力監視装置に関する。
【背景技術】
【０００２】
従来、オフィスビルや工場のように複数の電気機器を使用するエリアには、配電盤や分電盤などが配置される。この分電盤は、ビル内のＥＰＳ（Electric Power Supply）室等に設置されており、分電盤の内部に配置された複数の分岐ブレーカを介して、主幹線路が複数の分岐線路に分岐接続される。主幹線路には受電設備から電力が供給され、各分岐線路にはオフィス内に設けられたコンセントやＯＡタップが接続され、これらコンセント等にはコンピュータ等の各種電気機器が接続される。そして、分電盤を介して各種電気機器に電流が供給された際、電力負荷が過剰となって分岐ブレーカに所定値以上の電流が供給された場合には、分岐ブレーカが動作して電流供給が遮断される（例えば、特許文献１参照）。
【０００３】
このような従来の分電盤では、テスタ等の測定器を分電盤内の各分岐線路に接続して、分岐ブレーカ毎に電流値の測定が行われ、測定された電流値はハードディスクなどのメモリに時系列で逐次記憶される。そして、電源喪失や過負荷などのエラーが発生した際には、メモリに記憶されている時系列データを用いて、エラー発生の原因解析が行われる。
【先行技術文献】
【特許文献】
【０００４】
【特許文献１】特開２０１２−６５４６６号公報
【発明の概要】
【発明が解決しようとする課題】
【０００５】
ここで、上述した従来の分電盤のようなエラー発生の原因解析を行う際には、原因解析に使用する解析用データが多いほうが好ましいが、ハードディスクなどのメモリには容量の制約があるために解析用のデータ量が制限されてしまう。データ量の制限を解決するためには、別途のハードディスクを購入する等してメモリ使用量を大きくする必要があり、コストが高くなってしまう。このため、エラー発生の原因解析を低コストで実現することは困難である。
【０００６】
そこで本発明は、メモリ使用量を大きくすることなく、従来よりも低コストで、電源喪失や過負荷などのエラー発生の原因解析を実現可能な電力監視装置の提供を目的とした。
【課題を解決するための手段】
【０００７】
（１）  上述した課題を解決すべく提供される本発明の電力監視装置は、主幹線路から分岐した分岐線路の経路中にそれぞれ設けられ、複数の電気機器に電力を供給可能な複数の分岐ブレーカと、前記分岐ブレーカを介して前記電気機器に流れる電流値及び／又は電圧値を検出可能な電流／電圧センサと、前記分岐ブレーカの定格電流値及び／又は定格電圧値を記憶可能な定格電流／電圧記憶部と、前記分岐ブレーカごとに設定されたエラー情報を、前記電流／電圧センサで検出された電流値及び／又は電圧値と、前記定格電流／電圧記憶部に記憶されている定格電流値及び／又は定格電圧値との比較結果に基づいて発生可能なエラー情報発生部と、前記電流／電圧センサで検出された電流値及び／又は電圧値の変化を前記分岐ブレーカごとに時系列データとして記憶可能な時系列データ記憶部と、前記エラー情報が発生した場合には、前記エラー情報の発生前後の一定期間における時系列データを前記エラー情報の解析用データとして前記時系列データ記憶部から取り込んで管理する解析用データ管理部と、を備えることを特徴とするものである。
【０００８】
上記（１）の構成によれば、エラー情報が発生した場合には、エラー情報の発生前後の一定期間における時系列データを解析用データとして管理可能な解析用データ管理部が設けられるので、エラー情報の発生前後の一定期間における解析用データのみを用いて、電源喪失や過負荷などのエラー発生の原因解析を行うことができる。よって、原因解析に使用する解析用データのデータ量を小さくすることができる。したがって、従来のように、エラー発生の原因解析を行うにあたって、別途のハードディスクを購入する等してメモリ使用量を大きくする必要がない。その結果、従来よりも低コストで、電源喪失や過負荷などのエラー発生の原因解析を実現することができる。
【０００９】
また、上記（１）の構成に示すように、解析用データ管理部は、エラー情報が発生した場合に、つまり、エラー情報の発生をトリガーとして時系列データ記憶部から解析用データを取り込むものであるので、サンプリング遅れなどによる解析用データの取りこぼしが防止され、極めて信頼性の高い原因解析を行なうことができる。
【００１０】
（２）  上記（１）の電力監視装置においては、前記解析用データ管理部が、前記解析用データを複数のデータに分割し、分割したデータ毎に前記エラー情報の解析を行うことが好ましい。
【００１１】
上記（２）の構成では、解析用データのサンプリングがエラー情報の発生をトリガーとして行われるので、トリガー周辺でサンプリングした解析用データを複数のデータに分割し、分割したデータごとに、エラー情報の解析を行うことで、エラー発生の原因をより詳細に解析することができる。
【００１２】
また、上記（２）の構成では、解析用データがトリガー周辺でのみサンプリングされるものであって、解析用データ自体のデータ量が元々小さいので、解析用データを複数のデータに分割したとしても、解析用データのデータ量が大きくなることはない。
【００１３】
（３）  上記（１）又は（２）の電力監視装置においては、前記エラー情報を表示可能な表示部を備え、前記エラー情報発生部が、前記比較結果に応じて、異なる色で前記エラー情報を前記表示部に表示することが好ましい。
【００１４】
上記（３）の構成によれば、エラー情報発生部の比較結果に応じて、異なる色でエラー情報が表示部に表示されるので、オペレータはエラー情報の内容を視覚的に把握し易く、オペレータの使い勝手を良くすることができる。
【００１５】
（４）  上記（１）〜（３）の電力監視装置においては、前記電流／電圧センサの検出結果を外部ユニットに通信可能な情報通信部を備えることが好ましい。
【００１６】
上記（４）の構成によれば、電流／電圧センサの検出結果を外部ユニットに通信可能な情報通信部を設けることで、電流／電圧センサの検出結果を外部ユニットに通信可能な別ユニットが不要となり、別ユニットを用いて外部ユニットに通信する場合よりも部品点数を減らすことができる。
【００１７】
（５）  上記（１）〜（４）の電力監視装置においては、前記主幹線路の温度を検知可能な温度センサと、前記温度センサで検知された温度との比較に用いる設定温度を記憶可能な設定温度記憶部と、を備え、前記エラー情報発生部が、前記温度センサで検知された温度と、前記設定温度記憶部に記憶されている設定温度との比較結果に基づいて、前記エラー情報を発生することが好ましい。
【００１８】
上記（５）の構成によれば、電流／電圧センサで検出された電流値及び／又は電圧値と、定格電流値及び／又は定格電圧値との比較結果に基づくエラー発生に加えて、温度センサで検知された温度と、設定温度との比較結果に基づくエラー発生も実施されるので、電力監視装置の監視性能を向上できる。
【発明の効果】
【００１９】
本発明によれば、従来のように、エラー発生の原因解析を行うにあたって、別途のハードディスクを購入する等してメモリ使用量を大きくする必要がない。その結果、従来よりも低コストで、電源喪失や過負荷などのエラー発生の原因解析を実現することができる。
【００２０】
また、本発明は、エラー情報の発生をトリガーとして時系列データ記憶部から解析用データを取り込むものであるので、サンプリング遅れなどによる解析用データの取りこぼしが防止され、極めて信頼性の高い原因解析を行なうことができる。
【図面の簡単な説明】
【００２１】
【図１】本発明の一実施形態に係る電力監視装置を適用した分電盤の正面図である。
【図２】（ａ）図１に示した表示パネルを拡大した図である。（ｂ）分電盤の内部構成を示したブロック図である。
【図３】（ａ）記録装置の内部構成を示したブロック図である。（ｂ）ＣＰＵの内部構成を示したブロック図である。
【図４】電流／電圧センサで検出された電流値の変化の一例を示した波形図である。
【図５】解析用データ管理部における解析用データの取り込み動作の一例を示した説明図である。
【図６】各計測点で実行されるデータ処理の一例を示したイメージ図である。
【図７】本実施形態に係る電力監視装置の電力監視動作の一例を示したフローチャートである。
【図８】本実施形態に係る電力監視装置の電力監視動作の一例を示したフローチャートである。
【発明を実施するための最良の形態】
【００２２】
以下、本発明の一実施形態に係る電力監視装置について図面を参照しつつ詳細に説明する。図１は、本発明の一実施形態に係る電力監視装置を適用した分電盤の正面図である。図２（ａ）は、図１に示した表示パネルを拡大した図である。図１に示すように、分電盤（電力監視装置）１の正面扉には、表示パネル（表示部）５０や、検針窓や開閉用ハンドルなどが設けられている。表示パネル５０は、図２（ａ）に示すように、後述する複数（本実施形態では４０個）の分岐ブレーカに対応した発光部５２−ｎ（ｎ＝１〜４０）と、後述する温度センサ６０の検知結果に応じた表示を行う発光部５４と、発光部５２−ｎ（ｎ＝１〜４０）及び発光部５４の表示をリセット可能な表示リセットスイッチ５６と、を有している。発光部５２−ｎ（ｎ＝１〜４０）のいずれにもあてはまる事項について以下では、単に発光部５２−ｎと略記する。発光部５２−ｎ及び発光部５４は、透明な樹脂板や発光ダイオード（ＬＥＤ）等を用いて構成され、異なる色（本実施形態では、赤、黄、緑）で発光可能となっている。なお、発光部５２−ｎ及び発光部５４には、発光ダイオードのほかにも、白熱電球や蛍光ランプを用いた照明装置を採用できる。また、図２（ａ）に示す発光部５２−ｎ，５４のレイアウトは一例にすぎず、適宜変更できる。
【００２３】
図２（ｂ）は、分電盤の内部構成を示したブロック図である。図２（ｂ）に示すように、分電盤１は、受電設備（不図示）から主幹線路ＭＳに供給された電力を、各ブレーカの定格電流及び／又は定格電圧の範囲内で各電気機器へ分配供給可能に構成されている。分電盤１の内部には、１つの主幹ブレーカ１０と、分岐ブレーカ１２−ｎ（ｎ＝１〜４０）が設けられている。分岐ブレーカ１２−ｎ（ｎ＝１〜４０）のいずれにもあてはまる事項について以下では、単に分岐ブレーカ１２−ｎと略記する。主幹ブレーカ１０には、主幹線路ＭＳと、該主幹線路ＭＳから分岐した複数の分岐線路ＢＳ−ｎ（ｎ＝１〜４０）が接続されている。分岐線路ＢＳ−ｎ（ｎ＝１〜４０）のいずれにもあてはまる事項について以下では、単に分岐線路ＢＳ−ｎと略記する。分岐ブレーカ１２−ｎは、分岐線路ＢＳ−ｎの経路中に設けられている。主幹線路ＭＳ及び分岐線路ＢＳ−ｎは、銅帯を用いて形成されている。また、主幹線路ＭＳの温度は、例えば放射温度計などの温度センサ６０を用いて検知可能であって、該温度センサ６０の検知結果は後述するエラー情報発生部４２に出力される。
【００２４】
図２（ｂ）に示すように、分電盤１の内部には、分岐ブレーカ１２−ｎ（ｎ＝１〜４０）の数に対応したＣＴ２０−ｎ（ｎ＝１〜４０）が設けられている。ＣＴ２０−ｎ（ｎ＝１〜４０）のいずれにもあてはまる事項について以下では、単にＣＴ２０−ｎと略記する。ＣＴ２０−ｎは、自己に割り当てられた分岐ブレーカ１２−ｎを介して電気機器に流れる電流値を個別に検出可能なセンサであり、コイルを巻き付けたリング状鉄心を有し、分岐線路ＢＳ−ｎに電流が流れるとコイルに起電力が生じ、その値を読むことで電流を知ることができるものであって、種々の市販のタイプを使用できる。各ＣＴ２０−ｎは、検出結果に応じた信号をエラー情報発生部４２や情報通信部４６などへ出力可能に構成されている。なお、図２（ｂ）中の符号２２は、ＣＴ取替用のコネクタを示している。
【００２５】
さらに、分電盤１は、図２（ｂ）に示すように、記憶装置３０及びＣＰＵ４０を備えている。図３（ａ）は、記録装置の内部構成を示したブロック図である。記憶装置３０は、例えばハードディスク、コンパクトフラッシュ（登録商標）、ＥＥＰＲＯＭ等のデータを記憶可能な装置であり、図３（ａ）に示すように、定格電流／電圧記憶部３２、時系列データ記憶部３４、及び、設定温度記憶部３６を有している。
【００２６】
定格電流／電圧記憶部３２は、分岐ブレーカ１２−ｎの定格電流値及び／又は定格電圧値を記憶可能に構成される。時系列データ記憶部３４は、ＣＴ２０−ｎで検出された電流値の変化を分岐ブレーカ１２−ｎごとに時系列データとして記憶可能に構成されている。なお、時系列データ記憶部３４は、電圧値の変化を時系列データとして記憶してもよい。設定温度記憶部３６は、温度センサ６０で検知された温度との比較に用いる設定温度を記憶可能に構成されている。
【００２７】
図３（ｂ）は、ＣＰＵの内部構成を示したブロック図である。ＣＰＵ４０は、例えば、マイクロプロセッサ等で構成され、図３（ｂ）に示すように、エラー情報発生部４２、解析用データ管理部４４、及び、情報通信部４６を有している。
【００２８】
エラー情報発生部４２は、分岐ブレーカ１２−ｎごとに設定されたエラー情報を、ＣＴ２０−ｎで検出された電流値と、定格電流／電圧記憶部３２に記憶されている定格電流値との比較結果に基づいて発生可能に構成されている。なお、エラー情報発生部４２は、電圧値と、定格電流／電圧記憶部３２に記憶されている定格電圧値との比較結果に基づいて、エラー情報を発生してもよい。ここで、エラー情報発生部４２は、分岐ブレーカ１２−ｎごとに設定されたエラー情報を表示パネル５０に表示する。より具体的に、ここでは、ＣＴ２０−ｎで検出された電流値の定格電流値に対する比率Ｒ１［％］に応じて、３種類の色（赤、黄、緑）を用いた４段階の表示が発光部５２−ｎの発光によって行われる。つまり、図４に示すように、上記比率Ｒ１が０〜５０［％］の範囲内（０≦Ｒ１＜５０）にある場合には、緑色で発光部５２−ｎが発光する。上記比率Ｒ１が５０〜６５［％］の範囲内（５０≦Ｒ１＜６５）にある場合には、黄色で発光部５２−ｎが発光する。上記比率Ｒ１が６５〜７５［％］の範囲内（６５≦Ｒ１＜７５）にある場合には、赤色で発光部５２−ｎが発光する。上記比率Ｒ１が７５〜８５［％］の範囲内（７５≦Ｒ１＜８５）にある場合には、発光部５２−ｎが赤色で点滅発光する。なお、上記比率Ｒ１は、オペレータの操作に応じて適宜変更できる。
【００２９】
さらに、エラー情報発生部４２は、温度センサ６０で検知された温度と、設定温度記憶部３６に記憶されている設定温度との比較結果に基づいて、エラー情報を発生可能に構成されている。ここで、エラー情報発生部４２は、エラー情報を表示パネル５０に表示する。より具体的に、ここでは、温度センサ６０で検知された温度が設定温度以下の場合に、発光部５４が緑色で発光する。温度センサ６０で検知された温度が設定温度を超えた場合に、発光部５４が赤色で点滅発光する。なお、温度センサ６０で検知された温度との比較に用いる設定温度は、オペレータの操作に応じて適宜変更できる。
【００３０】
解析用データ管理部４４は、発光部５２−ｎが赤色で点滅発光した場合には、この点滅発光開始のタイミングをトリガーとして、点滅発光開始タイミングの前後の一定期間（本実施形態では、点滅発光開始前後の２秒間）における時系列データを解析用データとして時系列データ記憶部３４から取り込んで管理するように構成されている。
【００３１】
さらに、解析用データ管理部４４は、発光部５４が赤色で点滅発光した場合には、この点滅発光開始のタイミングをトリガーとして、点滅発光開始タイミングの前後の一定期間（本実施形態では、発光開始前後の２秒間）における時系列データを解析用データとして時系列データ記憶部３４から取り込んで管理するように構成されている。
【００３２】
図５は、解析用データ管理部４４における解析用データの取り込み動作の一例を示した説明図である。図５に示す正弦波は、解析用データ管理部４４で取り込まれた波形データを示す。ここでは、１周期分の波形データを２０個の計測点に分割している。なお、半周期分の波形データを分割してもよい。この例では、周波数が６０［Ｈｚ］の場合を示しており、１周期が１６．７［ｍｓｅｃ］であり、１計測点当たりのサンプリング周期が８００［μｓｅｃ］である。ここでは、計測点ごとに、ＣＴ２０−１〜ＣＴ２０−１０で検出されたデータのサンプリングが行われる。図６は、各計測点で実行されるデータ処理の一例を示したイメージ図である。図６に示すように、各計測点では、Ａ／Ｄ変換処理、Ｍａｘ．Ｍｉｎ設定処理、及び、瞬時判定処理からなるデータ処理が、ＣＴ２０−１〜ＣＴ２０−１０の数１０に等しい回数だけ反復して実行される。ここでのＡ／Ｄ変換処理の実行時間は４０［μｓｅｃ］であり、Ｍａｘ．Ｍｉｎ設定処理、及び、瞬時判定処理の実行時間は４０［μｓｅｃ］である。
【００３３】
情報通信部４６は、ＣＴ２０−ｎの各検出結果を例えば客先パソコンなどの外部ユニットへ有線方式で通信可能に構成されている。なお、外部ユニットへの通信は、無線方式によっても実現可能である。
【００３４】
続いて、図７及び図８を参照しながら、本実施形態に係る電力監視装置の電力監視動作の一例を説明する。図７及び図８に示す動作は、ＣＰＵ４０（エラー情報発生部４２、及び、解析用データ管理部４４）が記憶装置３０に格納されたプログラムを実行することによって実現される。
【００３５】
まず、図７に示すステップＳ１において、エラー情報発生部４２は、ＣＴ２０−１で検出された電流値の定格電流値に対する比率Ｒ１が０〜５０［％］の範囲内（０≦Ｒ１＜５０）にあるか否かを判断する。比率Ｒ１が範囲内にあると判断された場合、処理はステップＳ５に移行する。一方、比率Ｒ１が範囲外（５０≦Ｒ１）にあると判断された場合、処理はステップＳ２に移行する。
【００３６】
次に、ステップＳ２において、エラー報発生部４２は、ＣＴ２０−１で検出された電流値の定格電流値に対する比率Ｒ１が５０〜６５［％］の範囲内（５０≦Ｒ１＜６５）にあるか否かを判断する。比率Ｒ１が範囲内にあると判断された場合、処理はステップＳ６に移行する。一方、比率Ｒ１が範囲外（６５≦Ｒ１）にあると判断された場合、処理はステップＳ３に移行する。
【００３７】
次に、ステップＳ３において、エラー情報発生部４２は、ＣＴ２０−１で検出された電流値の定格電流値に対する比率Ｒ１が６５〜７５［％］の範囲内（６５≦Ｒ１＜７５）にあるか否かを判断する。比率Ｒ１が範囲内にあると判断された場合、処理はステップＳ７に移行する。一方、比率Ｒ１が範囲外（７５≦Ｒ１）にあると判断された場合、処理はステップＳ４に移行する。
【００３８】
次に、ステップＳ４において、エラー情報発生部４２は、赤色で発光部５２−１を点滅発光させるとともに、解析用データ管理部４４は、この点滅発光開始のタイミングをトリガーとして、点滅発光開始タイミングの前後の２秒間における時系列データを解析用データとして時系列データ記憶部３４から取り込んで管理する。
【００３９】
一方、ステップＳ１で比率Ｒ１が０〜５０［％］の範囲内（０≦Ｒ１＜５０）にあると判断された場合、ステップＳ５において、エラー情報発生部４２は、緑色で発光部５２−１を発光させる。
【００４０】
一方、ステップＳ２で比率Ｒ１が５０〜６５［％］の範囲内（５０≦Ｒ１＜６５）にあると判断された場合、ステップＳ６において、エラー情報発生部４２は、黄色で発光部５２−１を発光させるとともに、解析用データ管理部４４は、この発光開始のタイミングをトリガーとして、発光開始の前後の２秒間における時系列データを解析用データとして時系列データ記憶部３４から取り込んで管理する。
【００４１】
一方、ステップＳ３で比率Ｒ１が６５〜７５［％］の範囲内（６５≦Ｒ１＜７５）にあると判断された場合、ステップＳ７において、エラー情報発生部４２は、赤色で発光部５２−１を発光させるとともに、解析用データ管理部４４は、この発光開始のタイミングをトリガーとして、発光開始の前後の２秒間における時系列データを解析用データとして時系列データ記憶部３４から取り込んで管理する。
【００４２】
そして、ＣＰＵ４０は、ステップＳ１〜Ｓ７に相当する処理を、ＣＴ２０−２〜ＣＴ２０−４０の数３９に等しい回数だけ反復して実行する。そして、ＣＰＵ４０は、この反復処理が完了すると、引き続き、図８に示すステップＳ８を実行する。
【００４３】
図８に示すステップＳ８において、エラー情報発生部４２は、温度センサ６０で検知された温度Ｔｄと、設定温度記憶部３６に記憶されている設定温度Ｔｓとを比較する。温度Ｔｄが設定温度Ｔｓを超える場合、処理はステップＳ９に移行する。一方、温度Ｔｄが設定温度Ｔｓ以下の場合、処理はステップＳ１０に移行する。
【００４４】
次に、ステップＳ９において、エラー情報発生部４２は、赤色で発光部５４を点滅発光させるとともに、解析用データ管理部４４は、この点滅発光開始のタイミングをトリガーとして、点滅発光開始タイミングの前後の２秒間における時系列データを解析用データとして時系列データ記憶部３４から取り込んで管理する。
【００４５】
一方、ステップＳ８において、温度Ｔｄが設定温度Ｔｓ以下であると判断された場合、ステップＳ１０において、エラー情報発生部４２は、緑色で発光部５４を発光させる。
【００４６】
なお、発光部５２−ｎや発光部５４における赤色による点滅表示は、この点滅表示を視認したオペレータによる表示リセットスイッチ５６の操作を受けて、緑色の表示にリセットされる。
【００４７】
そして、本実施形態に係る電力監視装置の電力監視動作が完了する。
【００４８】
上述したように、本実施形態の電力監視装置においては、エラー情報が発生した場合に、エラー情報の発生前後２秒間における時系列データを解析用データとして管理可能な解析用データ管理部４４が設けられるので、エラー情報の発生前後の２秒間における解析用データのみを用いて、電源喪失や過負荷などのエラー発生の原因解析を行うことができる。よって、原因解析に使用する解析用データのデータ量を小さくすることができる。したがって、従来のように、エラー発生の原因解析を行うにあたって、別途のハードディスクを購入する等してメモリ使用量を大きくする必要がない。その結果、従来よりも低コストで、電源喪失や過負荷などのエラー発生の原因解析を実現することができる。
【００４９】
また、本実施形態の電力監視装置においては、解析用データ管理部４４は、エラー情報の発生をトリガーとして時系列データ記憶部３４から解析用データを取り込むものであるので、サンプリング遅れなどによる解析用データの取りこぼしが防止され、極めて信頼性の高い原因解析を行なうことができる。
【００５０】
また、本実施形態の電力監視装置では、解析用データのサンプリングがエラー情報の発生をトリガーとして行われるので、トリガー周辺でサンプリングした解析用データを複数の計測点に分割し、計測点ごとに、エラー情報の解析を行うことで、エラー発生の原因をより詳細に解析することができる。
【００５１】
また、本実施形態の電力監視装置では、解析用データがトリガー周辺でのみサンプリングされるものであって、解析用データ自体のデータ量が元々小さいので、解析用データを複数のデータに分割したとしても、解析用データのデータ量が大きくなることはない。
【００５２】
また、本実施形態の電力監視装置においては、警告情報発生部４２の比較結果に応じて、異なる色の情報が表示パネル５０に表示されるので、オペレータは情報の内容を視覚的に把握し易く、オペレータの使い勝手を良くすることができる。
【００５３】
また、本実施形態の電力監視装置においては、ＣＴ２０−ｎの検出結果を外部ユニットに通信可能な情報通信部４６が設けられるので、ＣＴ２０−ｎの検出結果を外部ユニットに通信可能な別ユニットが不要となり、別ユニットを用いて外部ユニットに通信する場合よりも部品点数を減らすことができる。
【００５４】
また、本実施形態の電力監視装置では、ＣＴ２０−ｎで検出された電流値と、定格電流値との比較結果に基づく警告発生に加えて、温度センサ６０で検知された温度と、設定温度との比較結果に基づく警告発生も実施されるので、電力監視装置の監視性能を向上できる。
【００５５】
以上、本発明の実施形態について図面に基づいて説明したが、具体的な構成は、これらの実施形態に限定されるものではない。本発明の範囲は、上記した実施形態の説明ではなく特許請求の範囲によって示され、さらに特許請求の範囲と均等の意味および範囲内でのすべての変更が含まれる。
【産業上の利用可能性】
【００５６】
本発明の電力監視装置は、オフィスビルや工場のように複数の電気機器を使用するエリアに配置された配電盤や分電盤などにおいて好適に利用可能である。
【符号の説明】
【００５７】
１    分電盤（電力監視装置）
１０    主幹ブレーカ
１２−１〜１２−４０    分岐ブレーカ
２０−１〜２０−４０    ＣＴ（電流／電圧センサ）
３２    定格電流／電圧記憶部
３４    時系列データ記憶部
３６    設定温度記憶部
４２    エラー情報発生部
４４    解析用データ管理部
４６    情報通信部
５０    表示パネル（表示部）
６０    温度センサ
ＢＳ−１〜ＢＳ−４０    分岐線路
ＭＳ    主幹線路
【図１】
2014171288.tif 000003
【図２】
2014171288.tif 000004
【図３】
2014171288.tif 000005
【図４】
2014171288.tif 000006
【図５】
2014171288.tif 000007
【図６】
2014171288.tif 000008
【図７】
2014171288.tif 000009
【図８】
2014171288.tif 000010